(57)【要約】【課題】表示部の端部における光の反射率を向上させることができるバックライト装置を提供する。【解決手段】バックライト装置１２は、表示部１１に光を出射する。表示部１１は、光を利用して表示を行う。バックライト装置１２は、光源２４と、反射部材２９と、枠体２２とを備える。光源２４は、光を出射する。反射部材２９は、光源２４から出射された光を表示部１１に反射する。枠体２２は、反射部材２９を収容する。反射部材２９は、底部２９ａと、立ち上がり部２９ｂとを有する。立ち上がり部２９ｂは、底部２９ａから立ち上がる。立ち上がり部２９ｂは、差込片２９２を有する。枠体２２は、差込部２２０を有する。差込部２２０には、差込片２９２が差し込まれる。【選択図】図５
2020202160.tif 000002
【特許請求の範囲】
【請求項１】
光を利用して表示を行う表示部に光を出射するバックライト装置であって、
光を出射する光源と、
前記光源から出射された光を前記表示部に反射する反射部材と、
前記反射部材を収容する枠体と
を備え、
前記反射部材は、
底部と、
前記底部から立ち上がる立ち上がり部と
を有し、
前記立ち上がり部は、差込片を有し、
前記枠体は、前記差込片が差し込まれる差込部を有する、バックライト装置。
【請求項２】
前記差込部は、前記枠体を貫通する貫通孔を含む、請求項１に記載のバックライト装置。
【請求項３】
前記貫通孔は、屈曲した形状を有する、請求項２に記載のバックライト装置。
【請求項４】
前記貫通孔は、頂点において屈曲しており、
前記頂点は、前記光源よりも前記表示部に近い側に位置する、請求項３に記載のバックライト装置。
【請求項５】
前記差込片は、
本体部と、
前記本体部の端部から前記本体部の延びる方向に対して垂直に突出する突出部と
を有する、請求項２から請求項４のいずれか１項に記載のバックライト装置。
【請求項６】
前記本体部から前記突出部が突出する突出方向において、
前記差込片の長さは、前記貫通孔の長さよりも長い、請求項５に記載のバックライト装置。
【請求項７】
前記貫通孔は、長手方向に沿って延びる長孔であり、
前記差込片は、前記貫通孔に対して差込方向に差し込まれており、
前記差込方向は、前記長手方向に交差する、請求項２に記載のバックライト装置。
【請求項８】
前記差込部は、互いに隣接する第１貫通孔と第２貫通孔とを含み、
前記差込片は、前記差込方向の一方の端部が前記第１貫通孔に差し込まれ、前記差込方向の他方の端部が前記第２貫通孔に差し込まれる、請求項７に記載のバックライト装置。
【請求項９】
請求項１から請求項８のいずれか１項に記載のバックライト装置と、
前記バックライト装置から出射された光を利用して表示を行う表示部と
を備える、表示装置。
【発明の詳細な説明】
【技術分野】
【０００１】
本発明は、バックライト装置および表示装置に関する。
【背景技術】
【０００２】
表示パネルとバックライト装置とを備えた表示装置が知られている（例えば、特許文献１）。バックライト装置は、表示パネルに対して光を照射する。特許文献１に記載のバックライト装置は、光源と、シャーシと、反射シートとを備える。反射シートにより、光源から出射された光を表示パネルに向けて効果的に供給することができる。反射シートを拡散板とシャーシとの間に挟みこむことによって、反射シートはシャーシに固定されている。
【先行技術文献】
【特許文献】
【０００３】
【特許文献１】特開２０１４−７４７５６号公報
【発明の概要】
【発明が解決しようとする課題】
【０００４】
表示装置のベゼルの狭額縁化が進むと、反射シートを拡散板とシャーシとの間に挟みこみ固定することが困難となる。したがって、バックライト装置の端部における、光の反射率を向上できない可能性がある。その結果、表示部（表示パネル）の端部における明るさが低下する可能性がある。
【０００５】
本発明は上記課題に鑑みてなされたものであり、その目的は表示部の端部における明るさを向上させることができるバックライト装置および表示装置を提供することにある。
【課題を解決するための手段】
【０００６】
本発明に係るバックライト装置は、表示部に光を出射する。前記表示部は、光を利用して表示を行う。前記バックライト装置は、光源と、反射部材と、枠体とを備える。前記光源は、光を出射する。前記反射部材は、前記光源から出射された光を前記表示部に反射する。前記枠体は、前記反射部材を収容する。前記反射部材は、底部と、立ち上がり部とを有する。前記立ち上がり部は、前記底部から立ち上がる。前記立ち上がり部は、差込片を有する。前記枠体は、差込部を有する。前記差込部には、前記差込片が差し込まれる。
【０００７】
本発明に係る表示装置は、上記に記載のバックライト装置と、表示部とを備える。前記表示部は、前記バックライト装置から出射された光を利用して表示を行う。
【発明の効果】
【０００８】
本発明に係るバックライト装置によれば、表示部の端部における明るさを向上させることができる。
【図面の簡単な説明】
【０００９】
【図１】表示装置を示す斜視図である。
【図２】表示装置の分解図である。
【図３】バックライト装置の平面図である。
【図４】図３に示すバックライト装置のＩＶ−ＩＶ断面図である。
【図５】図４に示すバックライト装置の断面図の拡大図である。
【図６】（ａ）は、反射シートとシャーシとの模式的な斜視図である。（ｂ）は、差込部と差込片とを示す模式的な斜視図である。
【図７】（ａ）は、差込前状態の、反射シートとシャーシとの模式図である。（ｂ）は、差込状態の反射シートとシャーシとの模式図である。
【図８】（ａ）は、差込前状態の、反射シートとシャーシとの模式図である。（ｂ）は、差込状態の反射シートとシャーシとの模式図である。
【図９】反射シートの模式図である。
【発明を実施するための形態】
【００１０】
以下、本発明の実施形態について、図面を参照しながら説明する。なお、図中、同一または相当部分については同一の参照符号を付して説明を繰り返さない。
【００１１】
［実施形態１］
図１を参照して、本発明の実施形態１に係る表示装置１０について説明する。図１は、表示装置１０を示す斜視図である。
【００１２】
図１に示すように、表示装置１０は、画像を表示する。表示装置１０は、例えば、狭額縁のディスプレイである。なお、複数の表示装置１０を並べて、マルチディスプレイとして使用してもよい。なお、表示装置１０により表示される画像の種類は特に限定されない。表示装置１０は、例えば、サーバと通信可能であり、サーバから受信した画像データが示す画像を表示してもよい。また、表示装置１０は、ＵＳＢメモリのような外部記憶装置に接続され、外部記憶装置から取得した画像データが示す画像を表示してもよい。なお、表示装置１０は、例えば、テレビ画像信号を受信可能なチューナーを含み、チューナーから受信したテレビ画像信号が示す画像を表示してもよい。
【００１３】
図２を参照して、表示装置１０についてさらに説明する。図２は、表示装置１０の分解図である。
【００１４】
図２は、Ｘ軸と、Ｙ軸と、Ｚ軸とを示す。Ｘ軸と、Ｙ軸と、Ｚ軸とは、互いに垂直な軸である。図２において、紙面の上側を表側とし、紙面の下側を裏側とする。
【００１５】
図２に示すように、表示装置１０は、液晶パネル１１と、バックライト装置１２と、ベゼル１３とを備える。なお、図示していないが、表示装置１０は、液晶パネルの全面に配置されるタッチパネルを備えていてもよい。
【００１６】
液晶パネル１１は、画像を表示する。液晶パネル１１は、本発明の表示部の一例である。表示部は、バックライト装置１２からの光を利用して画像が表示される部材であればよく、液晶パネル１１に限定されない。
【００１７】
液晶パネル１１は、一対のガラス基板を有する。一対のガラス基板の間には、液晶層（不図示）が封入される。一対のガラス基板は、所定のギャップを隔てた状態で貼り合わせられる。
【００１８】
一対のガラス基板のうちの一方のガラス基板には、スイッチング素子（例えばＴＦＴ）と、画素電極と、配向膜とが設けられる。スイッチング素子には、ソース配線とゲート配線とが接続される。画素電極には、スイッチング素子が接続される。一対のガラス基板のうちの他方のガラス基板には、カラーフィルタと、対向電極と、配向膜とが設けられる。カラーフィルタには、Ｒ（赤色），Ｇ（緑色），およびＢ（青色）のような複数の着色部の各々が所定配列で配置される。ソース配線、ゲート配線、および対向電極には、画像を表示するために必要な画像データと、各種制御信号とが、駆動回路基板（不図示）から供給される。なお、一対のガラス基板の外側には偏光板（不図示）が配置される。
【００１９】
本実施形態のバックライト装置１２は、液晶パネル１１の裏側にＬＥＤを配置した直下型のバックライト装置である。バックライト装置１２は、液晶パネル１１に対して光を照射する。詳細には、バックライト装置１２は、液晶パネル１１に配置される液晶に光を照射する。
【００２０】
ベゼル１３は、液晶パネル１１とバックライト装置１２とを一体に保持する。ベゼル１３は、液晶パネル１１の縁部を囲むようにして、液晶パネル１１とバックライト装置１２とに取り付けられる。
【００２１】
図２〜図４を参照して、バックライト装置１２について説明する。図３は、バックライト装置１２の平面図である。図４は、図３に示すバックライト装置１２のＩＶ−ＩＶ断面図である。
【００２２】
図２〜図４に示すように、バックライト装置１２は、シャーシ２２と、光学部材２３と、光源２４と、基板２５と、フレーム２６と、レンズ２７と、反射シート２９とを備える。なお、シャーシ２２は、本発明の枠体の一例である。また、反射シート２９は、本発明の反射部材の一例である。
【００２３】
シャーシ２２は、例えば、樹脂製の部材である。詳しくは、シャーシ２２は、例えば、プラスチック製の部材である。なお、シャーシ２２は、金属製であってもよい。シャーシ２２は、反射シート２９を収容する。シャーシ２２は、底板２２ａと、側板２２ｂと、受け板２２ｃとを含む。底板２２ａは、液晶パネル１１に応じた形状を有する。本実施形態では、底板２２ａは、液晶パネル１１と同様に、略矩形状に形成される。側板２２ｂは、底板２２ａの縁部から液晶パネル１１側に向けて立ち上がる。受け板２２ｃは、側板２２ｂに連なる。受け板２２ｃには、フレーム２６と光学部材２３とが設置される。なお、バックライト装置１２は、バックカバーをさらに備えてもよい。バックカバーは、シャーシ２２の背面を覆う。シャーシ２２と、バックカバーとは異なる材質でもよい。例えば、シャーシ２２が樹脂製で、バックカバーが金属製であってもよい。
【００２４】
光学部材２３は、略矩形状に形成される。光学部材２３は、液晶パネル１１とレンズ２７との間に配置される。光学部材２３は、拡散板２３ａと、光学シート２３ｂとを含む。
【００２５】
拡散板２３ａと光学シート２３ｂとのうち、拡散板２３ａはレンズ２７側に配置され、光学シート２３ｂは液晶パネル１１側に配置される。拡散板２３ａは、所定の厚みを有する略板状の部材である。拡散板２３ａは、樹脂製により形成される基材内に拡散粒子を分散して設けた構造を有する。拡散板２３ａは、拡散板２３ａを透過する光を拡散させる機能を有する。
【００２６】
光学シート２３ｂは、略シート状の部材であり、２枚のシートが積層した構造を有する。光学シート２３ｂは、例えば、拡散シート、レンズシート、および、反射型偏光シートのうちの少なくとも１つのシートを含む。
【００２７】
フレーム２６は、液晶パネル１１および光学部材２３の縁部に沿う形状を有する。フレーム２６は、受け板２２ｃとの間で、光学部材２３の縁部を挟持する。また、フレーム２６は、ベゼル１３との間で、液晶パネル１１の縁部を挟持する。
【００２８】
光源２４は、基板２５上に実装される。光源２４は、光を出射する。光源２４は、例えば、発光源としてＬＥＤ（Ｌｉｇｈｔ  Ｅｍｉｔｔｉｎｇ  Ｄｉｏｄｅ）チップを備える。
【００２９】
基板２５は、シャーシ２２内において底板２２ａに沿って延在しつつ、シャーシ２２に収容されている。基板２５のうち、液晶パネル１１側を向いた面には、光源２４が実装されている。光源２４は、複数設けられる。複数の光源２４は、例えば、行列を形成するようにマトリクス状に配置される。
【００３０】
基板２５の基材は、例えば、アルミ系材料を含む金属製により形成される。基板２５の表面には、絶縁層を介して配線パターンが形成される。配線パターンは、銅箔のような金属膜により形成される。基板２５の表面には、白色の反射層が形成される。基板２５は、反射層により、光源２４から発せられる光を、液晶パネル１１に向けて効果的に反射する。なお、基板２５の基材に用いる材料としては、セラミックのような絶縁材料を用いることも可能である。
【００３１】
レンズ２７は、例えば、透光性を有し、且つ屈折率が空気よりも高い合成樹脂材料（例えばポリカーボネートやアクリルなど）を含む。レンズ２７は、所定の厚みを有すると共に、略円形状に形成される。レンズ２７は複数設けられる。複数のレンズ２７は、それぞれ、複数の光源２４を液晶パネル１１側から覆う。レンズ２７は、光源２４から発せられた光を拡散させる。光源２４から発せられた光は、レンズ２７を介することにより指向性が緩和される。その結果、隣り合う光源２４の間に間隔が空いていても、隣り合う光源２４の間の領域に光を供給することが可能となる。
【００３２】
反射シート２９は、光源２４から出射された光を液晶パネル１１に反射する。反射シート２９は、例えば、合成樹脂により形成される。反射シート２９は、シャーシ２２の内面のほぼ全域にわたって敷設される。反射シート２９により、光源２４から出射された光を液晶パネル１１に向けて効果的に供給することができる。
【００３３】
反射シート２９は、底部２９ａと、立ち上がり部２９ｂとを含む。底部２９ａは、シャーシ２２の底板２２ａに沿って延在する。底部２９ａは、底板２２ａを覆う。立ち上がり部２９ｂは、底部２９ａの縁部から液晶パネル１１側に立ち上がる。立ち上がり部２９ｂは、底部２９ａに対して傾斜する。
【００３４】
図１〜図５を参照して、本発明の実施形態１に係るバックライト装置１２についてさらに説明する。図５は、図４に示すバックライト装置１２の断面図の拡大図である。図５は、Ｘ軸の＋側方向の端部の拡大図である。図５において、レンズ２７は省略している。
【００３５】
図５に示すように、反射シート２９の立ち上がり部２９ｂは、差込片２９２を有する。シャーシ２２は、差込部２２０を有する。差込部２２０には、差込片２９２が差し込まれる。したがって、反射シート２９をシャーシ２２に容易に固定することができる。
【００３６】
反射シート２９は、底部２９ａと立ち上がり部２９ｂとに加えて、折曲部２９ｃをさらに有する。折曲部２９ｃには、例えば、ミシン目が形成されている。立ち上がり部２９ｂは、折曲部２９ｃを介して、底部２９ａに対して折り曲げられている。折曲部２９ｃの位置を変更することによって、底部２９ａに対する立ち上がり部２９ｂの傾斜角度を容易に変更できる。したがって、光源２４からの光Ｌの反射角度を容易に調整できる。その結果、液晶パネル１１の端部における明るさを向上させることができる。
【００３７】
図６（ａ）および図６（ｂ）を参照して、反射シート２９のシャーシ２２への固定についてさらに説明する。図６（ａ）は、反射シート２９とシャーシ２２との模式的な斜視図である。図６（ｂ）は、差込部２２０と差込片２９２とを示す模式的な斜視図である。図６（ａ）は、差込片２９２が差込部２２０に差し込まれる前の状態を示す。図６（ｂ）は、差込片２９２が差込部２２０に差し込まれている状態を示す。図６（ａ）および図６（ｂ）では、図面の簡略化のため、反射シート２９およびシャーシ２２のみを示している。以下、本明細書において、差込片２９２が差込部２２０に差し込まれる前の状態を、「差込前状態」と記載することがある。また、差込片２９２が差込部２２０に差し込まれている状態を、「差込状態」と記載することがある。
【００３８】
図６（ａ）に示すように、シャーシ２２は、差込部２２０を含む。本実施形態では、差込部２２０は貫通孔２２２を含む。本実施形態では、差込部２２０は、複数の貫通孔２２２を含む。複数の貫通孔２２２は、Ｘ軸方向に沿って並んでいる。貫通孔２２２は、シャーシ２２を貫通する。貫通孔２２２は、屈曲した形状を有する。貫通孔２２２は、例えば、Ｖ字状である。貫通孔２２２は、頂点Ａにおいて屈曲している。頂点Ａは、光源２４（図６（ａ）では図示せず）よりも液晶パネル１１（図６（ａ）では図示せず）に近い側に位置する。すなわち、頂点Ａは、バックライト装置１２の裏側よりも表側に近い側に位置する。
【００３９】
差込片２９２は、本体部２９２ａと、２つの突出部２９２ｂとを有する。本体部２９２ａは、矩形状である。突出部２９２ｂは、矩形状である。２つの突出部２９２ｂの各々は、本体部２９２ａの端部から本体部２９２ａの延びる方向に対して垂直に突出する。差込片２９２は、例えば、Ｔ字状である。
【００４０】
図６（ａ）に示す状態から、貫通孔２２２を通るように差込片２９２を折り曲げて、差込片２９２を貫通孔２２２に挿入する。そして、折り曲げた差込片２９２を広げる。その結果、図６（ｂ）に示すように、差込片２９２を貫通孔２２２に差込方向Ｄ１へと差し込まれ、反射シート２９がシャーシ２２に固定される。図６（ｂ）に示すように、差込状態では、突出部２９２ｂの一部がシャーシ２２の内側（＋Ｙ方向側）に位置し、突出部２９２ｂの一部がシャーシ２２の外側（−Ｙ方向側）に位置する。したがって、突出部２９２ｂによって、シャーシ２２が挟まれる。その結果、反射シート２９がシャーシ２２に固定される。
【００４１】
また、本体部２９２ａから突出部２９２ｂが突出する突出方向において、差込片２９２の長さｄ１は、貫通孔２２２の長さｄ２よりも長い。したがって、差込状態において、シャーシ２２の外側に位置する突出部２９２ｂの部分を大きくすることができる。その結果、差込片２９２が貫通孔２２２から抜けることを抑制することができる。
【００４２】
以上、図１〜図６を参照して説明したように、反射シート２９（反射部材）の立ち上がり部２９ｂは、差込片２９２を有する。シャーシ２２（枠体）は、差込片２９２が差し込まれる差込部２２０を有する。差込部２２０には、差込片２９２が差し込まれる。したがって、反射シート２９をシャーシ２２に容易に固定することができる。その結果、バックライト装置１２の端部における、光の反射率を向上させることができる。したがって、液晶パネル１１の端部における明るさを向上させることができる。なお、液晶パネル１１の４つの端部全てについて明るさを向上させることが好ましい。
【００４３】
特に、複数の表示装置を並べるマルチディスプレイとして使用する場合、隣接する表示装置の対向する端部が暗く感じられることがある。その結果、隣り合う表示装置の境界部分の輝度ムラが視認されやすくなる可能性がある。しかしながら、表示装置１０は、端部における明るさを向上させることができる。したがって、マルチディスプレイとして表示装置１０を使用した場合であっても、隣接する表示装置１０の対向する端部が暗く感じられることが抑制される。その結果、隣り合う表示パネル１００の境界部分の輝度の低下を抑えることができ、表示領域全体の輝度の均一化を図ることができる。
【００４４】
また、差込部２２０には、差込片２９２が差し込まれるため、反射シート２９を拡散板２３ａとシャーシ２２との間に挟みこまずに、反射シート２９をシャーシ２２に固定することができる。したがって、表示装置１０のベゼル１３を狭額縁化した場合であっても、容易に反射シート２９をシャーシ２２に固定することができる。
【００４５】
一般的に、反射シートを拡散板とシャーシとの間に挟みこんで固定する場合、拡散板の下面に両面テープを貼り付けることによって、拡散板と反射シートとが固定される。この場合、熱によって反射シートが収縮する可能性がある。反射シートが収縮すると、反射シートがたわんで、光源からの光を液晶パネルに向けて、適切に反射できない可能性がある。一方、本実施形態のバックライト装置１２では、差込部２２０には、差込片２９２が差し込まれる。したがって、差込片２９２は、ある程度自由に動くことができる。その結果、熱によって反射シート２９が収縮した場合であっても、反射シート２９がたわむことを抑制することができる。このため、液晶パネル１１の端部における明るさを向上させることができる。
【００４６】
また、本実施形態によれば、バックライト装置１２の端部において、反射シート２９によって、光源２４からの光を液晶パネル１１に向けて反射する。したがって、シャーシ２２は、光源２４からの光を液晶パネル１１に向けて反射しなくてもよい。その結果、シャーシ２２の形状は、光の反射角度を考慮しなくてもよいため、シャーシ２２の形状を自由に変更することができる。また、シャーシ２２の材料は、反射率の高い高価な材料を適用することなく、液晶パネル１１の端部における明るさを向上させることができる。
【００４７】
また、差込部２２０は、貫通孔２２２を含む。貫通孔２２２は、シャーシ２２（枠体）を貫通する。したがって、差込片２９２を貫通孔２２２に差し込むことができる。その結果、反射シート２９をシャーシ２２に容易に固定することができる。
【００４８】
また、貫通孔２２２は、屈曲した形状を有する。したがって、差込片２９２が貫通孔２２２から抜けることを抑制することができる。
【００４９】
また、貫通孔２２２は、頂点Ａにおいて屈曲しており、頂点Ａは、光源２４よりも液晶パネル１１（表示部）に近い側に位置する。したがって、差込片２９２が貫通孔２２２から抜けることを抑制することができる。
【００５０】
また、差込片２９２は、本体部２９２ａと、突出部２９２ｂとを有する。突出部２９２ｂは、本体部２９２ａの端部から本体部２９２ａの延びる方向に対して垂直に突出する。したがって、差込状態において、突出部２９２ｂによって、シャーシ２２が挟まれる。その結果、反射シート２９をシャーシ２２に容易に固定することができる。
【００５１】
また、本体部２９２ａから突出部２９２ｂが突出する突出方向において、差込片２９２の長さｄ１は、貫通孔２２２の長さｄ２よりも長い。したがって、差込状態において、シャーシ２２の外側に位置する突出部２９２ｂの部分を大きくすることができる。その結果、差込片２９２が貫通孔２２２から抜けることを抑制することができる。
【００５２】
［実施形態２］
図７（ａ）および図７（ｂ）を参照して、本発明の実施形態２に係るバックライト装置１２について説明する。図７（ａ）は、差込前状態の、反射シート２９とシャーシ２２との模式図である。図７（ｂ）は、差込状態の反射シート２９とシャーシ２２との模式図である。貫通孔２２２の形状と差込片２９２の形状とが異なる点を除いて、実施形態２に係るバックライト装置１２は、実施形態１に係るバックライト装置１２と同様な構成を有するため、重複部分については説明を省略する。
【００５３】
図７（ａ）に示すように、本実施形態では、貫通孔２２２は、長孔である。貫通孔２２２は、長手方向Ｄ２に沿って延びる。差込部２２０は、第１貫通孔２２２ａと、第２貫通孔２２２ｂとを含む。
【００５４】
差込片２９２は、矩形状である。差込片２９２は、端部２９２ｃと、端部２９２ｄとを有する。
【００５５】
図７（ａ）に示す状態から、差込片２９２を貫通孔２２２に差込方向Ｄ３および差込方向Ｄ４へと差し込むことによって、図７（ｂ）に示すように、反射シート２９がシャーシ２２に固定される。詳しくは、差込片２９２は、差込方向Ｄ３の一方の端部２９２ｄが第１貫通孔２２２ａに差し込まれる。一方、差込片２９２は、差込方向Ｄ４の他方の端部２９２ｃが第２貫通孔２２２ｂに差し込まれる。差込片２９２は、貫通孔２２２に対して差込方向に差し込まれている。本実施形態では、差込方向Ｄ３および差込方向Ｄ４はＸ軸方向に沿っている。差込方向Ｄ３および差込方向Ｄ４は、長手方向Ｄ２に交差する。本実施形態では、差込方向Ｄ３および差込方向Ｄ４は、長手方向Ｄ２と直交している。
【００５６】
以上、図７を参照して説明したように、貫通孔２２２は、長手方向Ｄ２に沿って延びる長孔である。差込片２９２は、貫通孔２２２に対して差込方向Ｄ３および差込方向Ｄ４に差し込まれている。差込方向Ｄ３および差込方向Ｄ４は、長手方向に交差する。したがって、差込片２９２が貫通孔２２２から抜けることを抑制することができる。
【００５７】
［実施形態３］
図８（ａ）および図８（ｂ）を参照して、本発明の実施形態３に係るバックライト装置１２について説明する。図８（ａ）は、差込前状態の、反射シート２９とシャーシ２２との模式図である。図８（ｂ）は、差込状態の反射シート２９とシャーシ２２との模式図である。差込片２９２の形状が異なる点を除いて、実施形態３に係るバックライト装置１２は、実施形態２に係るバックライト装置１２と同様な構成を有するため、重複部分については説明を省略する。
【００５８】
図８（ａ）に示すように、本実施形態では、貫通孔２２２は、長孔である。貫通孔２２２は、長手方向Ｄ２に沿って延びる。差込部２２０は、貫通孔２２２を含む。
【００５９】
差込片２９２は、矩形状である。実施形態１および実施形態２では、差込片２９２は、立ち上がり部２９ｂの縁に形成されていたが、本実施形態では、差込片２９２は、立ち上がり部２９ｂの縁よりも内側に形成されている。
【００６０】
図８（ａ）に示す状態から、差込片２９２を貫通孔２２２に差込方向Ｄ５へと差し込むことによって、図８（ｂ）に示すように、反射シート２９がシャーシ２２に固定される。実施形態２では差込片２９２の差込方向は２方向（差込方向Ｄ３および差込方向Ｄ４）であったが、本実施形態では、差込片２９２の差込方向は１方向（差込方向Ｄ５）である。また、差込片２９２のピッチと、貫通孔２２２のピッチとは等しい。したがって、反射シート２９を１方向にスライドさせることによって、容易に反射シート２９をシャーシ２２に固定させることができる。差込片２９２は、貫通孔２２２に対して差込方向Ｄ５に差し込まれている。本実施形態では、差込方向Ｄ５はＸ軸方向に沿っている。差込方向Ｄ５は、長手方向Ｄ２に交差する。本実施形態では、差込方向Ｄ５は、長手方向Ｄ２と直交している。
【００６１】
貫通孔２２２の長手方向Ｄ２に沿った長さｄ２１は、差込片２９２の長手方向Ｄ２に沿った長さよりも長い。したがって、差込片２９２を容易に貫通孔２２２に差し込むことができる。なお、反射シート２９の熱膨張を考慮して、長さｄ２１および長さｄ２２は、設定されることが好ましい。
【００６２】
以上、図８（ａ）および図８（ｂ）を参照して説明したように、貫通孔２２２は、長手方向Ｄ２に沿って延びる長孔である。差込片２９２は、貫通孔２２２に対して差込方向Ｄ５に差し込まれている。差込方向Ｄ５は、長手方向に交差する。したがって、差込片２９２が貫通孔２２２から抜けることを抑制することができる。
【００６３】
また、本実施形態では、差込片２９２の差込方向は１方向（差込方向Ｄ５）である。したがって、反射シート２９を１方向にスライドさせることによって、容易に反射シート２９をシャーシ２２に固定させることができる。
【００６４】
また、本実施形態では、反射シート２９によって、シャーシ２２がほぼ全面覆われる。したがって、バックライト装置１２の端部における、光の反射率を向上させることができる。したがって、バックライト装置１２の端部における明るさを向上させることができる。
【００６５】
［実施形態４］
図９を参照して、本発明の実施形態４に係るバックライト装置１２について説明する。図９は、反射シート２９の模式図である。差込部２２０の形状が異なる点を除いて、実施形態４に係るバックライト装置１２は、実施形態２および実施形態３に係るバックライト装置１２と同様な構成を有するため、重複部分については説明を省略する。
【００６６】
図９に示すように、差込部２２０は、突起部２２４と、差込空間２２６とを有する。突起部２２４は、シャーシ２２から突起している。本実施形態では、突起部２２４は、半球状である。差込空間２２６は、突起部２２４によって形成される空間である。差込空間２２６の大きさは、差込片２９２の大きさと略等しい。差込空間２２６には、差込片２９２が差し込まれる。したがって、差込片２９２を折り曲げずに、差込部２２０に差込片２９２を差し込むことができる。その結果、反射シート２９をシャーシ２２に容易に固定することができる。
【００６７】
以上、図面（図１〜図９）を参照しながら本発明の実施形態を説明した。但し、本発明は、上記の実施形態に限られるものではなく、その要旨を逸脱しない範囲で種々の態様において実施することが可能である。図面は、理解しやすくするために、それぞれの構成要素を主体に模式的に示しており、図示された各構成要素の厚み、長さ、個数等は、図面作成の都合上から実際とは異なる。また、上記の実施形態で示す各構成要素の材質や形状、寸法等は一例であって、特に限定されるものではなく、本発明の効果から実質的に逸脱しない範囲で種々の変更が可能である。
【符号の説明】
【００６８】
１０      表示装置
１１      液晶パネル（表示部）
１２      バックライト装置
２２      シャーシ（枠体）
２４      光源
２９      反射シート（反射部材）
２９ａ    底部
２９ｂ    立ち上がり部
２２０    差込部
２２２    貫通孔
２２２ａ  第１貫通孔
２２２ｂ  第２貫通孔
２９２    差込片
２９２ａ  本体部
２９２ｂ  突出部
２９２ｃ  端部
２９２ｄ  端部
Ａ        頂点
Ｄ２      長手方向
Ｄ３      差込方向
Ｄ４      差込方向
Ｄ５      差込方向
Ｌ        光
【図１】
2020202160.tif 000003
【図２】
2020202160.tif 000004
【図３】
2020202160.tif 000005
【図４】
2020202160.tif 000006
【図５】
2020202160.tif 000007
【図６】
2020202160.tif 000008
【図７】
2020202160.tif 000009
【図８】
2020202160.tif 000010
【図９】
2020202160.tif 000011